(57)【要約】【課題】外観意匠性に優れ、端部キャップの外れを防止した建築部材の提供を目的とする。【解決手段】建築部材は、芯材と芯材の端部キャップと装飾材とを備え、芯材は、端部に前後方向に設けた取付溝と取付構内に設けた被係止部とを有し、端部キャップは、芯材側に突出する脚部と脚部に設けた係止部とを有し、脚部は、取付溝に前後方向から挿入してあり、係止部は被係止部に係止して脚部が取付溝から芯材長手方向に抜けるのを規制してあり、装飾材は、芯材の前後面に各々接合してあると共に端部により取付溝の前後の開口部を各々塞いでいることを特徴とする。【選択図】  図１
2007056597.tif 000002
【特許請求の範囲】
【請求項１】
芯材と芯材の端部キャップと装飾材とを備え、
芯材は、端部に前後方向に設けた取付溝と取付構内に設けた被係止部とを有し、
端部キャップは、芯材側に突出する脚部と脚部に設けた係止部とを有し、
脚部は、取付溝に前後方向から挿入してあり、係止部は被係止部に係止して脚部が取付溝から芯材長手方向に抜けるのを規制してあり、
装飾材は、芯材の前後面に各々接合してあると共に端部により取付溝の前後の開口部を各々塞いでいることを特徴とする建築部材。
【発明の詳細な説明】
【技術分野】
【０００１】
本発明は、フェンスや門柱、門扉等に用いる建築部材に関する。
【背景技術】
【０００２】
フェンスや門柱、門扉等にはアルミニウム合金押出形材等の中空状の建材を広く採用する。
この種の建築部材では、端部の切断面を覆い安全性と止水及び外観意匠性を確保するために端部キャップを装着する場合が多い。
従来は中空状建材の端末にキャップをビス止めするのが一般的で、ビス止め以外の方法として、特開平４−１４６３８０号公報には、金属製芯材（角パイプ材）の端部開口部内に挿入する端部キャップの側面片を、開口部への挿入時に弾性変形させて強固な装着性を得る技術を開示する。
また、特開平８−１００４１６号公報には、端部キャップに板ばねを設けて、金属製芯材（中空支柱）開口部内に板ばねを圧接させる技術を開示する。
しかしながら、このように弾性力による装着では経年劣化による緩みが生じて外れやすくなり、また構造的に複雑であるという問題があった。
【０００３】
【特許文献１】特開平４−１４６３８０号公報
【特許文献２】特開平８−１００４１６号公報
【発明の開示】
【発明が解決しようとする課題】
【０００４】
本発明は上記技術的課題に鑑みて、外観意匠性に優れ、端部キャップの外れを防止した建築部材の提供を目的とする。
【課題を解決するための手段】
【０００５】
本発明に係る建築部材は、芯材と芯材の端部キャップと装飾材とを備え、芯材は、端部に前後方向に設けた取付溝と取付構内に設けた被係止部とを有し、端部キャップは、芯材側に突出する脚部と脚部に設けた係止部とを有し、脚部は、取付溝に前後方向から挿入してあり、係止部は被係止部に係止して脚部が取付溝から芯材長手方向に抜けるのを規制してあり、装飾材は、芯材の前後面に各々接合してあると共に端部により取付溝の前後の開口部を各々塞いでいることを特徴とする。
ここで芯材の前後面とは、芯材の長手方向の対向する一組の両面に装飾材を接合した場合の、一方の面を前面とし他方の面を後面とする。
【発明の効果】
【０００６】
本発明における建築部材においては、端部キャップの脚部に設けた係止部と、芯材の端部に形成した取付溝の被係止部とを係合させて芯材の長手方向に沿って端部キャップが抜けるのを防止し、芯材の取付溝に沿って端部キャップが前後方向に移動するのを芯材の前後面に接合した装飾材の端部で規制するため、従来の端部キャップを建材の小口にビス止めする構造に比較してビス等の固定具が不要になり部品数が少なくなる。
また、弾性嵌合する従来の端部キャップ装着構造に比較して経年劣化による抜けの恐れがない。
装飾材の端部により取付溝の前後開口部を各々塞いでいるので端部キャップの前後方向側部が前後面の装飾材で隠れるため端部キャップの前後方向側部が外部から見えず且つ装飾材により外観意匠性が向上する。
【発明を実施するための最良の形態】
【０００７】
本発明に係る建築部材は建材の端部にキャップを装着した建築部材一般に適用でき、縦部材、横部材、傾斜部材等使用状態も限定されない。
その中でも代表例としてはフェンスの支柱及び縦桟、門柱等の屋外建築部材、玄関のポーチ柱等のデザイン建材が挙げられる。
以下図４に示したフェンスに適用した例に基づいて説明する。
図４に示すフェンス１は縦桟を板材状の建築部材１０で形成し、支柱を柱状の建築部材１０ａで形成している。
この縦桟間と、縦桟と支柱間はヒンジ部１ｂで連結して、フェンス１を曲面状に配設可能としている。
図３（イ）はフェンス縦桟に適用した建築部材１０の実施例を示し、図３（ロ）は支柱に適用した建築部材１０ａの実施例を示す。
建築部材１０は、金属製芯材２０の上下の端部に端部キャップ３０を装着して、金属製芯材２０の前面２０ｂと後面２０ｃをそれぞれ装飾材４０で覆っている。
図３（ロ）のように支柱にする場合には、金属製芯材２０ａの下部分を装飾材４０より下方に延出させて、支持台１aや地面に埋め込む柱脚部１０ｂとする。
装飾材４０は、装飾を目的とし、合成木製や天然木製等の木部材を用いてもよく、金属製芯材は剛性を確保するものでありアルミ形材等を用いることができる。
【０００８】
図１（イ）に建築部材１０の上端部付近の拡大図を示し、図１（ロ）に上端部付近の分解図を示す。
図１（イ）は分かりやすくするために前後方向手前の装飾材４０を２点鎖線で示してある。
図１（イ）、図１（ロ）に示すように建築部材１０は、端部２１に開口部２１ｂを有する角筒状の中空形状からなる金属製芯材２０の前面２０ｂ、後面２０ｃに、同形状で前面、後面を覆う装飾材４０を接合している。
金属製芯材２０の前面２０ｂと後面２０ｃには、金属製芯材２０の上下長手方向に突条２３を左右にそれぞれ一対ずつ設け、装飾材４０はこの突条２３の上に、突条２３の側縁を露出させて線接触で取りつけてある。
これにより、金属製芯材の前面２０ｂ及び後面２０ｃと装飾材との間にそれぞれ隙間１１を形成し、この隙間１１により、装飾材４０に天然木を用いた際に、天然木と金属製芯材２０の間に水が溜まることによる天然木の腐敗を減少・防止できる。
また、装飾材４０に天然木を使用した場合に装飾材４０に反りが生じても、このように予め隙間１１を設けておくことで、装飾材４０の反りで拡大した隙間１１を意匠の一部に見せることが出来る。
この突条２３は、隙間１１を形成するために前後面にそれぞれ２条以上設ける。
金属製芯材２０の端部２１は、アルミ押出形材等のアルミ製の端部キャップ３０を装着し、開口部２１ｂを端部キャップ３０の蓋部３１で塞いでいる。
この端部キャップ３０は、蓋部３１の下面３１ａに左右に一対の脚部３２を有し、この脚部３２を、金属製芯材端部２１に形成している取付溝２２に前後方向から挿入して金属製芯材端部２１に装着している。
端部キャップ３０の脚部３２は蓋部３１の前後端にわたる垂下片３２ａを蓋部下面３１ａからそれぞれ芯材側に垂下させて、その先端を曲げて断面略Ｌ字状とした上で、先端を蓋部３１側に突出させて係止部３２ｃを形成している。
取付溝２２は、金属製芯材の前面２０ｂから後面２０ｃにかけて端部キャップ３０の脚部３２が嵌る側面視略Ｌ字形状に、金属製芯材端面２１ａが開口するように切り込んで形成してある。
【０００９】
図２は端部キャップを金属製の芯材端部へ装着する手順の説明図で、図２（イ）は取付溝２２への端部キャップ３０の脚部３２の挿入状態を示し、その正面図を図２（ロ）に示す。
端部キャップ３０は、先ず金属製芯材端部２１の前側、あるいは後ろ側から取付溝２２の位置に脚部３２の位置を合わせて、図２（イ）のように脚部３２を前後方向にずらすことで取付溝２２に挿入する。
端部キャップ３０の脚部３２を構成する垂下片３２ａは、先端部に係止部３２ｃを有し、側面視山形形状になっている。
その山形の頂点に左右の取付溝２２の左右方向内側の内壁２２ｃに当接する挟持部３２ｂを設けてある。
また、左右の取付溝２２は、切り込み形状を内側に対向してＬ字型にしてあり、端部キャップ３０の係止部３２ｃを係止するための被係止部２２ａを形成している。
端部キャップ３０は金属製芯材端部２１に、取付溝の被係止部２２ａに脚部３２の係止部３２ｃをあてて係止部３２ｃを下方に弾性変位させて脚部３２を取付溝２２に挿入し、蓋部下面３１ａと係止部３２ｃで金属製芯材２０の端面２１ａと被係止部２２ａを挟持して装着している。
このように、挟持部３２ｂで左右の取付溝の内壁２２ｃを挟み、係止部３２ｃと蓋部下面３１ａで、被係止部２２ａと端面２１ａを挟むため、端部キャップ３０のガタツキを防止している。
この時、端部キャップ３０は前後方向以外は、取付溝２２で移動が規制されて、特に上方へは被係止部２２ａに係止部３２ｃが係合し、端部キャップ３０の芯材長手方向の抜けを防止している。
端部キャップ３０を装着した金属製芯材２０の前面２０ｂと後面２０ｃには、図１（イ）のように装飾材４０をそれぞれ取りつける。
この装飾材４０の配設位置は、少なくとも図１（ロ）に示す芯材の前面側と後面側との取付溝２２の開口部２２ｂを装飾材４０の端部で覆い、端部キャップ３０の脚部３２の前後方向の移動を規制する位置とする。
端部キャップ３０の蓋部３１と脚部３２の前後方向幅は、金属製芯材２０の前面２０ｂの突条２３の先端から後面２０ｃの突条２３の先端に至る前後方向幅と等しく形成してある。
このため、端部キャップ３０は蓋部３１の側面から脚部３２の側面に至る側面部３０ａに、前後に配設した装飾材４０の端部がそれぞれ当接するため、装飾材４０との間に隙間を生じずガタツキがない。
このように端部キャップ３０は、ビスを用いないで簡単に組付可能でありながら、ガタツキを防止し、かつ、脱落することはない。
装飾材４０で端部キャップの側面部３０ａから金属製芯材２０の取付溝２２を覆うため、外観の良い建築部材となっている。
【図面の簡単な説明】
【００１０】
【図１】本発明に係る建築部材の実施例の上端部付近の、（イ）は斜視図を示し、（ロ）は分解図を示す。
【図２】端部キャップを金属製芯材への装着する手順の説明図を示す。
【図３】本発明に係る建築部材の例を示す。
【図４】建築部材を用いたフェンスの実施例を示す。
【符号の説明】
【００１１】
１０    建築部材
２０    金属製の芯材
２２    取付溝
２２ａ  取付溝被係止部
３０    端部キャップ
３２    端部キャップの脚部
３２ｃ  脚部の係止部
４０    装飾材
【図１】
2007056597.tif 000003
【図２】
2007056597.tif 000004
【図３】
2007056597.tif 000005
【図４】
2007056597.tif 000006